(57)【要約】【課題】予めワンタッチ登録されたＦＡＸ宛先を用いて送信する場合に、送信時の回線使用状況及び使用回線についての送信者の要望を踏まえて送信する。【解決手段】ＣＰＵは、ワンタッチ呼出番号が入力されると（Ｓ２０８にてＹＥＳ）宛先情報を読出すステップ（Ｓ２１０）と、スタートボタンが押下されると（Ｓ２１２にてＹＥＳ）、予め登録された回線を使用して画像データを送信するステップ（Ｓ２３０、Ｓ２３２）と、回線が予め登録されていない場合に、回線（１）が入力されると回線（１）を使用し、回線（２）が入力されると回線（２）を使用し、それ以外では空き回線を使用して、画像データを送信するステップ（Ｓ２３０、Ｓ２３２、Ｓ２２６）とを含むプログラムを実行する。【選択図】図６
2010183318.tif 000002
【特許請求の範囲】
【請求項１】
複数の通信回線が接続され、前記複数の通信回線のうちのいずれかを使用して画像データを送信する画像通信装置であって、
ユーザが送信先を特定するための識別情報と、前記通信回線を用いて前記画像データを送信する送信先を特定するための送信先情報と、送信に使用する通信回線を特定するための回線情報とを予め記憶するための記憶手段と、
ユーザが識別情報を入力するための入力手段と、
ユーザが回線情報を入力するための表示入力手段と、
ユーザにより入力された識別情報に基づいて、前記送信先情報及び前記回線情報を呼出すための呼出し手段と、
前記呼出した送信先情報及び前記回線情報に基づいて、画像データを前記送信先に送信するための送信手段とを含み、
前記送信手段は、
前記呼出した回線情報により送信に使用する通信回線が特定されていると判定される場合には、特定された回線を使用して画像データを送信するための手段と、
前記呼出した回線情報により送信に使用する通信回線が特定されていないと判定される場合には、画像データの送信時にユーザにより入力された通信回線を使用して画像データを送信するための手段とを含む、画像通信装置。
【請求項２】
前記表示入力手段は、
タッチパネルにより構成され、
画像データの送信時に、前記複数の通信回線についての表示位置に対応付けされた入力ボタンをユーザが押下することにより、前記回線情報を入力するための手段を含む、請求項１に記載の画像通信装置。
【請求項３】
前記画像通信装置は、画像データを複数の送信先に送信するために使用する通信回線を設定するための同報処理手段をさらに含み、
前記同報処理手段は、
前記呼出した回線情報により送信に使用する通信回線が特定されていると判定される場合には、特定された通信回線を使用するように設定するための手段と、
前記呼出した回線情報により
送信に使用する通信回線が特定されていないと判定される場合には、画像データの送信時にユーザにより入力された通信回線を使用するように設定するための手段と、
前記設定された通信回線を用いて画像データを送信するように、前記送信手段を制御するための手段とを含む、請求項１又は請求項２に記載の画像通信装置。
【請求項４】
前記ユーザにより通信回線が入力される時は、前記記憶手段に前記送信先情報と前記回線情報とが記憶された以降である、請求項１〜請求項３のいずれかに記載の画像通信装置。
【請求項５】
前記ユーザにより通信回線が入力される時は、ユーザが画像送信の実行を要求する時である、請求項４に記載の画像通信装置。
【請求項６】
前記ユーザにより通信回線が入力される時は、ユーザが画像の送信先を指定する時である、請求項４に記載の画像通信装置。
【請求項７】
前記回線情報は、前記複数の通信回線の中で使用していない回線であるという情報を含む、請求項１〜請求項６のいずれかに記載の画像通信装置。
【請求項８】
請求項１〜請求項７のいずれかに記載の画像通信装置を備えた画像形成装置。
【発明の詳細な説明】
【技術分野】
【０００１】
本発明は、ファクシミリ装置に代表される画像通信装置であって、複数の回線に接続される画像通信装置に関し、特に、送信時の通信回線を、容易にかつ柔軟性高く設定する画像通信装置に関する。また、本発明は、このような画像通信装置を備えた画像形成装置にも関する。
【背景技術】
【０００２】
従来、画像データを通信するファクシミリ装置において、ユーザによる操作を簡略化したり宛先間違いを防止したりするために、予めワンタッチダイヤル又は短縮ダイヤルとして宛先名及び宛先番号を登録しておき、送信時にそれらワンタッチダイヤル又は短縮ダイヤルを用いて相手先を指定することが行なわれている。
【０００３】
また、多くの人により共用されるファクシミリ装置（例えばオフィスなどで使用されるファクシミリ装置）においては、勤務時間帯に集中して多くの送受信が行なわれるため、混雑を防止する方策がとられている。これは、大量のデータが送信されているときに、重要なデータを受信できない等を極力防止するためである。このような方策として、複数の回線を接続できるファクシミリ装置が提案されている。このような複数の回線が接続されるファクシミリ装置においては、送信時にいずれの回線を使って送信するのかを指定する場合がある。このため、上記のようなワンタッチダイヤル又は短縮ダイヤルを登録する際に、送信に使用する回線を予め指定しておいて、送信時に送信回線を指定する必要がないようにできるものが提案されている。さらに、このようなファクシミリ装置において、１つの原稿を複数の宛先に、一斉に同時に送信（同報送信）できるものが提案されている。
【０００４】
このようなファクシミリ装置に関係して、特開平７−３１２６８５号公報（特許文献１）は、送信機会と受信機会を、任意に配分できるマルチポート一斉同報ファクシミリ装置を開示する。このファクシミリ装置は、複数の回線種別の回線及び複数のチャンネルを利用して、各回線から複数の相手先へ一斉に同報通信を開始するマルチポート一斉同報ファクシミリ装置であって、回線及びチャンネル毎の使用状況を監視する使用状況監視部と、回線種別毎で、かつ宛先情報の入力順が登録される宛先保持手段と、回線およびチャンネルが空いている時又は空いた時に、宛先保持手段を参照して、未送信の宛先情報を読出し送信開始する制御部とを具備したことを特徴とする。
【０００５】
このファクシミリ装置によると、空き回線の回線種別と同じ種別の未送信情報が宛先保持手段に登録されている場合に、未送信情報を回線から、宛先保持手段に登録された宛先の登録順とは無関係に送信を開始することができる。このため、回線を有効に使用することができ、一斉同報の所要時間を短縮することができる。
【０００６】
特開２００８−２８３５１８号公報（特許文献２）は、宛先番号の入力の手間をより軽減することのできる通信装置を開示する。この通信装置は、少ないキー入力操作数で宛先番号を入力する短縮ダイヤル機能を備えた通信装置であって、宛先番号を入力するためのタッチパネル入力手段を備え、短縮ダイヤル機能で参照する複数の短縮ダイヤル番号を登録した宛先管理情報に基づいて、タッチパネル入力手段に表示する宛先入力操作画面の画面表示態様を制御することを特徴とする。なお、宛先管理情報に登録される情報要素は、各々の短縮ダイヤル番号について、宛先番号、宛先名称、回線種別、及び検索文字が少なくとも登録される。
【０００７】
この通信装置によると、利用頻度の少ない操作者はタッチパネル入力手段を用いることで容易に宛先を指定することができるとともに、熟練者等は短縮ダイヤル番号を入力することで短時間で宛先を指定することができる。
【先行技術文献】
【特許文献】
【０００８】
【特許文献１】特開平７−３１２６８５号公報
【特許文献２】特開２００８−２８３５１８号公報
【発明の概要】
【発明が解決しようとする課題】
【０００９】
特許文献１に開示されたファクシミリ装置及び特許文献２に開示された通信装置によると、複数の送信回線が接続されているために、ワンタッチ又は短縮ダイヤルを用いて通信で使用する回線種別が指定された送信先を指定するとともに、同報送信時に空き回線を用いて送信することができる。
【００１０】
しかしながら、送信者が特定の回線を用いて送信したい場合がある。例えば、オフィスで複数の部門がファクシミリ装置を共用していてその送信費用を使用回線に基づいて各部門で分担している場合等である。このような場合に、ワンタッチダイヤル又は短縮ダイヤルに対応して送信に使用する回線種別を予め登録している場合（特許文献２）、その登録された回線が別の送受信で使用されている場合は、送信することができなかった。また、このようなことを回避するために、指定した回線が使用中である場合、他の空き回線を自動的に選択して送信させることも考えられるが（特許文献１）、使用回線が自動的に変更されてしまうため、どの回線を使用して送信されたのかを送信者は知ることができない。特に、送信者は、送信のために宛先などの送信設定を行ない原稿を読込ませると自席に戻ることが多いため（ファクシミリ装置から離れることが多いため）、送信に使用した回線がわからなくなるという問題が起こりうる。このような問題に起因して、送信費用の分担が正しく行なわれなくなるという問題を発生させることになる。
【００１１】
したがって、本発明の目的は、宛先情報（識別情報としての宛名、送信先情報としての宛先ファクシミリ番号）とともに使用する通信回線を予め登録しておいて、送信先をワンタッチダイヤル又は短縮ダイヤルで指定する場合であっても、送信時の通信回線の使用状況及び／又は使用する通信回線についての送信者（ユーザ）の要望を踏まえて、送信することができる画像通信装置及びそれを備えた画像形成装置を提供することである。
【課題を解決するための手段】
【００１２】
本発明に係る画像通信装置は、複数の通信回線が接続され、複数の通信回線のうちのいずれかを使用して画像データを送信する。この画像通信装置は、ユーザが送信先を特定するための識別情報と、通信回線を用いて画像データを送信する送信先を特定するための送信先情報と、送信に使用する通信回線を特定するための回線情報とを予め記憶するための記憶手段と、ユーザが識別情報を入力するための入力手段と、ユーザが回線情報を入力するための表示入力手段と、ユーザにより入力された識別情報に基づいて、送信先情報及び回線情報を呼出すための呼出し手段と、呼出した送信先情報及び回線情報に基づいて、画像データを送信先に送信するための送信手段とを含む。この送信手段は、呼出した回線情報により送信に使用する通信回線が特定されていると判定される場合には、特定された回線を使用して画像データを送信するための手段と、呼出した回線情報により送信に使用する通信回線が特定されていないと判定される場合には、画像データの送信時にユーザにより入力された通信回線を使用して画像データを送信するための手段とを含む。
【００１３】
この画像通信装置が画像データ通信機能としてファクシミリ機能を備える場合において、記憶手段には、例えばワンタッチダイヤル又は短縮ダイヤルとして、比較的繰返し使用される画像データの宛先についての情報が予め記憶される。この宛先についての情報は、識別情報と送信先情報と回線情報とを含む。ユーザはファクシミリ機能を用いて画像データを送信する場合に、ワンタッチダイヤル又は短縮ダイヤルにより送信先を特定できる。この場合、回線情報により送信に使用する通信回線が特定されていると判定される場合には特定された回線を使用して、送信に使用する通信回線が特定されていないと判定される場合には画像データの送信時にユーザにより入力された通信回線を使用して、画像データが送信される。ユーザが画像データの送信に使用したい通信回線を予め決めているときにはその要望に沿って、予め決めていないときにはその送信時の状況によって、使用する通信回線を決定できる。すなわち、送信時の通信回線の使用状況及び使用する通信回線についてのユーザの要望（特定の通信回線を使用して送信したい、通信回線はいずれでもよいので早く送信したい）を踏まえて、送信することができる。その結果、送信先についての情報（識別情報及び送信先情報）とともに使用する通信回線を予め登録しておいて、送信先をワンタッチダイヤル又は短縮ダイヤルで指定する場合であっても、送信時の通信回線の使用状況及び／又は使用する通信回線についてのユーザの要望を踏まえて、送信することができる画像通信装置を提供することができる。
【００１４】
表示入力手段は、タッチパネルにより構成することもできる。この場合、この表示入力手段は、画像データの送信時に、複数の通信回線についての表示位置に対応付けされた入力ボタンをユーザが押下することにより、回線情報を入力するための手段を含むように構成できる。
【００１５】
タッチパネルに表示された、複数の通信回線についての表示（ボタン）を押下することにより、回線情報を入力することができる。このため、容易にかつ間違えることなく、画像データの送信に使用する通信回線を特定できる。
【００１６】
画像通信装置は、画像データを複数の送信先に送信するために使用する通信回線を設定するための同報処理手段をさらに含むように構成できる。この同報処理手段は、呼出した回線情報により送信に使用する通信回線が特定されていると判定される場合には、特定された通信回線を使用するように設定するための手段と、呼出した回線情報により送信に使用する通信回線が特定されていないと判定される場合には、画像データの送信時にユーザにより入力された通信回線を使用するように設定するための手段と、設定された通信回線を用いて画像データを送信するように、送信手段を制御するための手段とを含むように構成できる。
【００１７】
１つの原稿（画像データ）を複数の送信先に同時に送信する場合にも、送信に使用する通信回線が特定されていると判定される場合には特定された回線を使用して、送信に使用する通信回線が特定されていないと判定される場合には画像データの送信時にユーザにより入力された通信回線を使用して、画像データが送信される。同報通信であっても。ユーザが画像データの送信に使用したい通信回線を予め決めているときにはその要望に沿って、予め決めていないときにはその送信時の状況によって、使用する通信回線を決定できる。すなわち、送信時の通信回線の使用状況及び使用する通信回線についてのユーザの要望（特定の通信回線を使用して送信したい、通信回線はいずれでもよいので早く送信したい）を踏まえて、送信することができる。
【００１８】
なお、ユーザにより通信回線が入力される時は、例えば、記憶手段に送信先情報と回線情報とが記憶された以降である。
【００１９】
記憶手段に、ワンタッチダイヤル又は短縮ダイヤルとして送信先情報が記憶された後であって、実際にファクシミリ送信されるときの通信回線の状況によって、使用する通信回線を決定できる。
【００２０】
さらに、ユーザにより通信回線が入力される時は、例えば、ユーザが画像送信の実行を要求する時である。
【００２１】
ユーザがスタートボタンを押下した時に（ユーザが画像送信の実行を要求した時に）、ユーザにより画像データの通信に使用する通信回線が入力される。このため、このジョブが予約ジョブになっていても通信回線を入力できる。スタートボタンを押下した後に画像通信装置から離れていても、先のジョブが完了して実際に画像データが送信される時に画像通信装置に戻って通信回線を入力する必要がなく、ジョブの実行中に通信回線の入力待ちで処理が停止することがない。
【００２２】
さらに、ユーザにより通信回線が入力される時は、例えば、ユーザが画像の送信先を指定する時である。
【００２３】
ユーザがファクシミリ送信先を指定する時に（ユーザが画像の送信先を指定する時に）、ユーザにより画像データの通信に使用する通信回線が入力される。このため、送信先の指定時に通信回線を入力できる。スタートボタンを押下した後に画像通信装置から離れていても、実際に画像データが送信される時に画像通信装置に戻って通信回線を入力する必要がなく、ジョブの実行中に通信回線の入力待ちで処理が停止することがない。
【００２４】
回線情報は、複数の通信回線の中で使用していない回線であるという情報を含むように構成できる。
【００２５】
複数の通信回線のうちのいずれの通信回線を使用してもよいので早く送信したいというユーザの要望を踏まえて、画像データを送信することができる。
【００２６】
この発明の別の局面に係る画像形成装置は、上述したいずれかの画像通信装置を備えた画像形成装置である。
【００２７】
この画像形成装置が備える画像通信装置は、送信時の通信回線の使用状況及び使用する通信回線についてのユーザの要望（特定の通信回線を使用して送信したい、通信回線はいずれでもよいので早く送信したい）を踏まえて、送信することができる。その結果、送信先についての情報（識別情報及び送信先情報）とともに使用する通信回線を予め登録しておいて、送信先をワンタッチダイヤル又は短縮ダイヤルで指定する場合であっても、送信時の通信回線の使用状況及び／又は使用する通信回線についてのユーザの要望を踏まえて、送信することができる画像形成装置を提供することができる。
【発明の効果】
【００２８】
本発明に係る画像通信装置及びそれを備えた画像形成装置によると、ファクシミリ送信等の画像データの送信において、送信先についての情報（識別情報及び送信先情報）とともに使用する通信回線を回線情報として予め登録しておいて、送信先をワンタッチダイヤル又は短縮ダイヤルで指定することができる。このような場合であっても、回線情報により通信に使用する通信回線が特定されていない場合には、送信時の通信回線の使用状況及び／又は使用する通信回線についてのユーザの要望を踏まえて、画像データを送信することができる。
【図面の簡単な説明】
【００２９】
【図１】本発明の第１の実施の形態に係る画像形成装置１５０の外観を示す斜視図である。
【図２】図１に示す画像形成装置１５０の内部構成を簡略化して示す図である。
【図３】図１に示す画像形成装置１５０のハードウェア構成を示す機能ブロック図である。
【図４】図１に示す画像形成装置１５０に記憶されるワンタッチ指定テーブルを示す図である。
【図５】本発明の第１の実施の形態に係る画像形成装置で実行される登録プログラムの制御構造を示すフローチャートである。
【図６】本発明の第１の実施の形態に係る画像形成装置で実行される送信プログラムの制御構造を示すフローチャートである。
【図７】図３に示す表示パネル１７２に表示される画面の一例を示す図である。
【図８】図３に示す表示パネル１７２に表示される画面の一例を示す図である。
【図９】図３に示す表示パネル１７２に表示される画面の一例を示す図である。
【図１０】図３に示す表示パネル１７２に表示される画面の一例を示す図である。
【図１１】図３に示す表示パネル１７２に表示される画面の一例を示す図である。
【図１２】本発明の第２の実施の形態に係る画像形成装置で実行される同報送信プログラムの制御構造を示すフローチャートである。
【発明を実施するための形態】
【００３０】
以下の実施の形態では、同一の部品には同一の参照番号を付してある。それらの機能及び名称も同一である。したがって、それらについての詳細な説明は繰返さない。なお、以下においては、電子写真方式の画像形成装置（複合機）について説明するが、本発明はこれに限定されず、送信側において２以上の回線が接続可能な、少なくともファクシミリモードを有する複合機であればよく、ファクシミリ通信可能という意味においては画像通信装置であればよい。また、これ以降の説明においては、「ファクシミリ」、「ファクス」及び「ＦＡＸ」を特に区別しないで使用する。
【００３１】
＜第１の実施の形態＞
以下に本発明の第１の実施の形態に係る画像形成装置（複合機又は通信装置）について説明する。この画像形成装置は、上述した画像通信装置を含む構成を備えるものである。
【００３２】
［画像形成装置］
図１は、画像形成装置１５０の外観構成を示す図である。図２は、画像形成装置１５０の内部構成を簡略化して示す図である。図３は、画像形成装置１５０の機能ブロック図である。
【００３３】
図１及び図２を参照して、画像形成装置１５０は、原稿読取部１５２、画像形成部１５４、給紙部１５６、及び排紙処理装置１５８を備える。
【００３４】
ここで、ファクシミリモードでの動作説明を行なうことによって、画像形成装置１５０の内部構成の説明とする。
【００３５】
−送信動作−
画像形成装置１５０においては、ファクシミリモードを指定して、スタートボタンを押下すると、原稿載置台に置かれた原稿が原稿読取部１５２により画像データとして読取られ、読取られた画像データが図３に示すマイクロコンピュータ等から構成されるＣＰＵ（Ｃｅｎｔｒａｌ  Ｐｒｏｃｅｓｓｉｎｇ  Ｕｎｉｔ）３００に入力され、ここで画像データに各種の画像処理が施され、この画像データがＦＡＸ通信部（後述するＦＡＸ通信部１５５）へと出力される。
【００３６】
送信側の画像形成装置１５０のＦＡＸ通信部１５５は、指定された送信側の回線を指定された送信先に接続して、画像データをファクシミリ通信規格に合致した通信データへ変換して、送信側のファクシミリ装置（例えばファクシミリ機能を備えた画像形成装置１５０）へ送信する。
【００３７】
−通信動作−
回線が接続されると、受信側の画像形成装置１５０のＦＡＸ通信部１５５は、送信側の画像形成装置１５０のＦＡＸ通信部１５５からの通信要求信号を検出して、応答信号を送信する。その後、例えば、ＦＡＸ通信部１５５は、送信側及び受信側で互いに実装されている能力情報の受渡しを行ない利用可能な最大能力での通信速度及び画像データの符号化・符号訂正方式などを決定してモデムの通信方式を設定する。この通信方式にあわせた画像信号形式を用いて、送信側の画像形成装置１５０のＦＡＸ通信部１５５から受信側の画像形成装置１５０のＦＡＸ通信部１５５へデータを送信する。送信が終了すると回線が切断される。
【００３８】
−受信動作−
受信側の画像形成装置１５０のＦＡＸ通信部１５５は、受信したデータを画像データに変換して、画像形成部１５４へ送る。なお、通信データを画像データへ変換するのは画像形成部１５４であっても構わない。
【００３９】
画像形成部１５４は、受信した画像データによって示される原稿の画像を記録用紙に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、及び図示しない除電装置等を備えている。
【００４０】
画像形成部１５４には、主搬送路２３６及び反転搬送路２３８が設けられており、給紙部１５６から給紙されてきた記録用紙が主搬送路２３６に沿って搬送される。給紙部１５６は、用紙カセット２４０に収納された記録用紙、又は手差トレイ２４２に載置された記録用紙を１枚ずつ引出して記録用紙を画像形成部１５４の主搬送路２３６へと送り出す。
【００４１】
画像形成部１５４の主搬送路２３６に沿って記録用紙が搬送されている途中で、記録用紙が感光体ドラム２２２と転写装置２３０との間を通過し、更に定着装置２３４を通過して、記録用紙に対する印刷が行なわれる。
【００４２】
感光体ドラム２２２は、一方向に回転し、その表面は、クリーニング装置２３２と除電装置によりクリーニングされた後、帯電装置２２４により均一に帯電される。
【００４３】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００４４】
現像装置２２８は、トナーを感光体ドラム２２２の表面に供給して静電潜像を現像し、トナー像を感光体ドラム２２２の表面に形成する。
【００４５】
転写装置２３０は、当転写装置２３０と感光体ドラム２２２との間を通過していく記録用紙に感光体ドラム２２２の表面のトナー像を転写する。
【００４６】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。
【００４７】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６又は排紙処理装置１５８の方へと導かれる。
【００４８】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６又は排紙処理装置１５８の方へと導かれる。
【００４９】
上記のようにして、受信した画像データが印刷された記録用紙は、排紙トレイ２４６又は排紙処理装置１５８の方へと導かれて排紙トレイ２４６に排出され、又は排紙処理装置１５８の各排紙トレイ１６８の何れかに排出される。
【００５０】
［ハードウェアブロック］
図３を参照して、画像形成装置１５０はさらに、通信処理及び画像形成処理に関する各機能の設定が可能な操作装置１６６と、プログラム等を記憶するためのＲＯＭ（Ｒｅａｄ  Ｏｎｌｙ  Ｍｅｍｏｒｙ）３０６と、通電が遮断された場合であってもプログラム及びデータ等を記憶可能な不揮発性記憶領域であるＨＤＤ（Ｈａｒｄ  Ｄｉｓｋ  Ｄｒｉｖｅ）３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００５１】
画像形成装置１５０はさらに、原稿読取部１５２、画像形成部１５４、ＦＡＸ通信部１５５、操作装置１６６、ＲＯＭ３０６、ＨＤＤ３０２、及びＲＡＭ３０８に接続されるバス３１０と、バス３１０に接続された、画像形成装置としての一般的機能を実現するためのＣＰＵ３００とを含む。
【００５２】
ＲＯＭ３０６には、画像形成装置１５０の動作を制御するのに必要なプログラム及びデータ等が記憶されている。ＣＰＵ３００は、ＲＯＭ３０６に格納されているプログラム及びデータに従って画像形成装置１５０の制御を行なうと共に画像形成装置１５０の各機能に関する制御を実行する。
【００５３】
図３に示すように、この画像形成装置１５０のＦＡＸ通信部１５５には、画像データの送受信用に少なくとも２回線が接続されている。ＦＡＸ通信部１５５は、回線（１）を用いたＦＡＸ送受信及び回線（２）を用いたＦＡＸ送受信を同時に行なうことができる。なお、２以上の回線が接続されるものであれば本発明の適用が可能であって、２回線に限定されるものではない。
【００５４】
ＲＡＭ３０８は、ＣＰＵ３００による演算及び処理の結果を一時的に記憶するワーキングメモリとしての機能と、画像データを記憶するフレームメモリとしての機能とを提供する。
【００５５】
原稿読取部１５２、画像形成部１５４、操作装置１６６の板状の操作パネル１７０及び表示パネル１７２、並びにＲＯＭ３０６、ＨＤＤ３０２、及びＲＡＭ３０８に対する制御は、ＣＰＵ３００が所定のプログラムを実行することにより行なわれる。
【００５６】
操作装置１６６は、操作装置１６６の表面の右側の領域に配置された、テンキー、及びその他の種々の操作ボタンであるハードキーが備えられている板状の操作パネル１７０と、操作装置１６６の中央部から左側の領域に配置された、小型のタッチパネル一体型液晶表示装置から構成されている表示パネル１７２とを含む。操作パネル１７０と表示パネル１７２とは一つの筐体に保持され、操作装置１６６は全体として一体となるように構成されている。
【００５７】
この操作装置１６６においては、表示パネル１７２に、この画像形成装置１５０の状態、宛先指定状況、ジョブの処理状況等が表示される。表示パネル１７２の液晶表示装置の表示領域上には選択ボタンが表示され、この選択ボタンの表示されている領域を指で押すと、タッチパネルがその押された位置を検出する。プログラム上で選択ボタンの表示位置とタッチパネルが押された位置とを照合することにより、画像形成装置１５０の機能設定及び動作指示等が行なわれる。
【００５８】
この画像形成装置１５０は、ファクシミリを送信する送信先についての情報（宛名、宛先ファクシミリ番号）とともに、ファクシミリを送信するときに使用する回線を予め登録しておいて、送信先をワンタッチダイヤル又は短縮ダイヤルで指定することができる。このため、ＨＤＤ３０２又はＲＡＭ３０８には、図４に示すフィールドを備えたワンタッチ指定テーブルが記憶される。
【００５９】
このワンタッチ指定テーブルは、呼出番号をキーとして、少なくとも、宛先名フィールドと、宛先ＦＡＸ番号フィールドと及び送信回線フィールドとで構成されている。送信回線フィールドには、この宛先が指定されたときに使用される回線が記憶される。具体的には、「回線（１）」、「回線（２）」及び「選択なし」のいずれかが記憶される。
【００６０】
なお、この図４においては、呼出番号を３桁の数字で指定しているが、この３桁の数字をテンキーで押下して宛先を指定する場合には短縮ダイヤルとして、この３桁の数字と表示パネル１７２に表示された宛名とが関連付けされて、表示されたタッチパネル上の宛名を押下することにより宛先を指定する場合にはワンタッチダイヤルとして機能する。なお、短縮ダイヤル及びワンタッチダイヤルは、このようなものに限定されるものではない。さらに、短縮ダイヤルとワンタッチダイヤルとの違いは、本発明の本質的部分とは直接関係するものではないので、短縮ダイヤルとワンタッチダイヤルとを明確に区別する場合を除き、短縮ダイヤルとワンタッチダイヤルとは特段の差異はないものとする。
【００６１】
本実施の形態に係る画像形成装置１５０は、ワンタッチ指定テーブルに記憶された宛先であって現実に送信先として指定された宛先の送信回線に「選択なし」が設定されていたとしても、送信時（ここではワンタッチ指定テーブルに記憶された以降の任意の時であって送信宛先の指定時又は送信指示時等である。）の回線の使用状況及び／又は使用回線についての送信者の要望を踏まえて、送信する機能を備える。このような機能を実現するために、画像形成装置１５０は、以下に示すソフトウェア構成を備えたプログラムを実行する。
【００６２】
［ソフトウェア構成］
図５及び図６は、画像形成装置１５０で実行される回線登録プログラム及びワンタッチ送信プログラムの制御構造を示すフローチャートである。なお、画像形成装置１５０のＣＰＵ３００は、このようなプログラムと並行して、コンピュータ又は画像形成装置としての一般的機能を実現するプログラムを実行する。しかしながら、そのプログラムは、本発明の本質的部分とは直接関係するものではないので、その詳細についてはここでは説明しない。
【００６３】
図５を参照して、ステップ（以下、ステップをＳと記載する。）１００にて、画像形成装置１５０のＣＰＵ３００（以下、単にＣＰＵ３００と記載する。）は、短縮ダイヤル又はワンタッチダイヤルについての回線登録要求が入力されたか否かを判定する。このとき、ＣＰＵ３００は、表示パネル１７２のタッチパネルからユーザ（送信者）により入力された情報に基づいて、回線登録要求が入力されたか否かを判定する。回線登録要求が入力されたと判定されると（Ｓ１００にてＹＥＳ）、処理はＳ１０２へ移される。もしそうでないと（Ｓ１００にてＮＯ）、この処理は終了する。
【００６４】
Ｓ１０２にて、ＣＰＵ３００は、宛先情報（少なくとも呼出番号、宛先名、宛先ＦＡＸ番号及び送信回線（回線情報））を入力する要求を表示パネル１７２に表示する。なお、呼出番号は、空いている番号が適宜設定されるものであっても構わないので、この場合には呼出番号を入力する要求は表示されない。
【００６５】
Ｓ１０４にて、ＣＰＵ３００は、宛先情報が入力されたか否かを判定する。宛先情報が入力されたと判定されると（Ｓ１０４にてＹＥＳ）、処理はＳ１０６へ移される。もしそうでないと（Ｓ１０４にてＮＯ）、この処理はＳ１０２へ戻される。
【００６６】
Ｓ１０６にて、ＣＰＵ３００は、入力された宛先情報を図４に示すデータ記憶形式で不揮発性メモリ（ここではＨＤＤ３０２）に記憶する。さらに別の宛先情報を入力する場合には、Ｓ１０２へ処理が戻される。
【００６７】
図６を参照して、Ｓ２００にてＣＰＵ３００は、ＦＡＸ送信要求が入力されたか否かを判定する。このとき、ＣＰＵ３００は、表示パネル１７２のタッチパネルに表示された「ファクス／イメージ送信」のタグの部分が押下されたことに基づいて、ＦＡＸ送信要求が入力されたと判定する。ＦＡＸ送信要求が入力されたと判定されると（Ｓ２００にてＹＥＳ）、処理はＳ２０２へ移される。もしそうでないと（Ｓ２００にてＮＯ）、この処理は終了する。
【００６８】
Ｓ２０２にて、ＣＰＵ３００は、ファクス送信先である宛先を入力する旨の送信者への要求を表示パネル１７２に表示する。Ｓ２０４にて、ＣＰＵ３００は、ワンタッチ送信先の中からファクス送信先を指定する旨が入力されたか否かを判定する。ワンタッチ送信先の中からファクス送信先を指定する旨が入力されると（Ｓ２０４にてＹＥＳ）、処理はＳ２０６へ移される。もしそうでないと（Ｓ２０４にてＮＯ）、この処理はＳ２０２へ戻されてワンタッチ送信先の中からファクス送信先を指定する旨が入力されるまで待つ。なお、ファクス送信先である宛先の入力は、本実施の形態においては予め宛先情報が登録されたワンタッチ送信先に限定しているので、Ｓ２０４にてＮＯの場合にはＳ２０２へ処理を戻しているが、後述する第２の実施の形態のように、Ｓ２０４にてＮＯの場合にはファクス送信先である宛先ＦＡＸ番号等を都度入力するものであっても構わない。
【００６９】
Ｓ２０６にて、ＣＰＵ３００は、ファクス送信先である宛先の呼出番号を入力する旨の送信者への要求を表示パネル１７２に表示する。Ｓ２０８にて、ＣＰＵ３００は、図４に示すワンタッチ指定テーブルに記憶された呼出番号が入力されたか否かを判定する。Ｓ２０８にて、ＣＰＵ３００は、ワンタッチ送信先としてワンタッチ指定テーブルに登録されている呼出番号が入力されたか否かを判定する。呼出番号が入力されると（Ｓ２０８にてＹＥＳ）、処理はＳ２１０へ移される。もしそうでないと（Ｓ２０８にてＮＯ）、この処理はＳ２０６へ戻されて呼出番号が入力されるまで待つ。なお、ワンタッチ送信先として複数の宛名が表示パネル１７２（タッチパネル）に表示させて、その表示位置に対応付けされた入力ボタンをユーザが押下することにより呼出番号が入力されるようにしても構わない。
【００７０】
Ｓ２１０にて、ＣＰＵ３００は、入力された呼出番号の宛先情報（少なくとも宛先名、宛先ＦＡＸ番号及び送信回線）をメモリから読出す。
【００７１】
Ｓ２１２にて、ＣＰＵ３００は、操作パネル１７０に配置されたスタートボタンが押下されたか否かを判定する。スタートボタンが押下されると（Ｓ２１２にてＹＥＳ）、処理はＳ２１４へ移される。もしそうでないと（Ｓ２１２にてＮＯ）、この処理はＳ２１２へ戻されてスタートボタンが押下されるまで待つ。
【００７２】
Ｓ２１４にて、ＣＰＵ３００は、メモリから読出された宛先情報の「使用回線」は、「選択なし」であるか否かを判定する。「使用回線」は「選択なし」であると判定されると（Ｓ２１４にてＹＥＳ）、処理はＳ２１６へ移される。もしそうでないと（Ｓ２１４にてＮＯ）、この処理はＳ２２８へ移される。
【００７３】
Ｓ２１６にて、ＣＰＵ３００は、送信者の要求として、使用回線を変更する旨の要求が入力されたか否かを判定する。使用回線を変更する旨の要求が入力されると（Ｓ２１６にてＹＥＳ）、処理はＳ２１８へ移される。もしそうでないと（Ｓ２１６にてＮＯ）、この処理はＳ２３４へ移される。
【００７４】
Ｓ２１８にて、ＣＰＵ３００は、使用回線を入力する旨の送信者への要求を表示パネル１７２に表示する。Ｓ２２０にて、ＣＰＵ３００は、使用回線が入力されたか否かを判定する。使用回線が入力されると（Ｓ２２０にてＹＥＳ）、処理はＳ２２２へ移される。もしそうでないと（Ｓ２２０にてＮＯ）、この処理はＳ２１８へ戻されて使用回線が入力されるまで待つ。なお、所定の時間が経過しても使用回線が入力されない場合には、後述する初期設定された使用回線により送信するように設定しても構わない。
【００７５】
Ｓ２２２にて、ＣＰＵ３００は、入力された使用回線が、「自動」、「回線（１）」及び「回線（２）」のいずれであるのかを判定する。入力された使用回線が「自動」であると（Ｓ２２２にて「自動」）処理はＳ２２４へ移され、入力された使用回線が「回線（１）」であると（Ｓ２２２にて「回線（１）」）処理はＳ２３０へ移され、入力された使用回線が「回線（２）」であると（Ｓ２２２にて「回線（２）」）処理はＳ２３２へ移される。
【００７６】
Ｓ２２４にて、ＣＰＵ３００は、空き回線を検出する。Ｓ２２６にて、ＣＰＵ３００は、空き回線を使用してＦＡＸ送信する。その後、この処理は終了する。
【００７７】
Ｓ２２８にて、ＣＰＵ３００は、メモリから読出された宛先情報の「使用回線」は、「回線（１）」であるか否かを判定する。「使用回線」は「回線（１）」であると判定されると（Ｓ２２８にてＹＥＳ）、処理はＳ２３０へ移される。もしそうでないと（Ｓ２２８にてＮＯ）、この処理はＳ２３２へ移される。
【００７８】
Ｓ２３０にて、ＣＰＵ３００は、「回線（１）」を使用してＦＡＸ送信する。その後、この処理は終了する。Ｓ２３２にて、ＣＰＵ３００は、「回線（２）」を使用してＦＡＸ送信する。その後、この処理は終了する。
【００７９】
Ｓ２３４にて、ＣＰＵ３００は、初期設定された回線が、「自動」、「回線（１）」及び「回線（２）」のいずれであるのかを判定する。初期設定された回線が「自動」であると（Ｓ２３４にて「自動」）処理はＳ２２４へ移され、入力された使用回線が「回線（１）」であると（Ｓ２３４にて「回線（１）」）処理はＳ２３０へ移され、入力された使用回線が「回線（２）」であると（Ｓ２３４にて「回線（２）」）、処理はＳ２３２へ移される。
【００８０】
［動作］
以上のような構造及びフローチャートに基づく、本実施の形態に係る画像形成装置１５０の動作について、図７〜図１1を用いて説明する。
【００８１】
−回線登録動作−
送信者又はこの画像形成装置１５０の管理者等が、例えば、表示パネル１７２（タッチパネル）に表示された回線登録要求ボタンを押下すると、回線登録要求が入力されたと判定される（Ｓ１００にてＹＥＳ）。
【００８２】
このような場合、図７に示す画面が表示パネル１７２に表示される（Ｓ１０２）。なお、この図７においては「呼出番号」が「検索番号」として表示されている。図７の「送信回線」のボタンを押下すると、図８に示す画面が表示パネル１７２に表示される。このとき、図８に示すように、「選択なし」、「回線１（＝回線（１））」及び「回線２（＝回線（２））」のいずれか１つを選択できる。図８に示す状態は初期状態である「選択なし」が選択されて反転表示されている。
【００８３】
図８に示すいずれかを選択した後に、「ＯＫ」ボタンを押下すると、図７に示す表示に戻る。送信者又はこの画像形成装置１５０の管理者等が、必要な全ての宛先情報を入力して「終了」ボタンを押下すると、宛先情報が入力されたと判定される（Ｓ１０４にてＹＥＳ）。
【００８４】
入力された宛先情報がメモリに記憶される（Ｓ１０６）。このような動作が繰返されて、図４に示すワンタッチ指定テーブルが構築される。
【００８５】
−ワンタッチ送信動作−
送信者が送信原稿を原稿載置台に置いて、表示パネル１７２のタッチパネルに表示された「ファクス／イメージ送信」のタグの部分が押下すると、ＦＡＸ送信要求が入力されたと判定される（Ｓ２００にてＹＥＳ）。この時点で原稿読取部１５２により、送信原稿が読取られる。後述するスタートボタンが押下された時点で送信原稿が読取られるようにしても構わない。
【００８６】
ファクス送信先である宛先を入力する旨の送信者への要求が表示パネル１７２に表示され（Ｓ２０２）、ワンタッチ送信先の中からファクス送信先を指定する旨が入力され（Ｓ２０４にてＹＥＳ）、ファクス送信先である宛先の呼出番号を入力する旨の送信者への要求が表示パネル１７２に表示される（Ｓ２０６）。
【００８７】
ワンタッチ送信先の中の呼出番号が入力されると（Ｓ２０８にてＹＥＳ）、入力された呼出番号の宛先情報（少なくとも宛先名、宛先ＦＡＸ番号及び送信回線）がメモリから読出される（Ｓ２１０）。
【００８８】
送信者が、操作パネル１７０に配置されたスタートボタンが押下されて（Ｓ２１２にてＹＥＳ）、メモリから読出された宛先情報の送信回線が「回線（１）」であると（Ｓ２１４にてＮＯかつＳ２２８にて「回線（１）」）回線（１）を用いて原稿が送信され（Ｓ２３０）、送信回線が「回線（２）」であると（Ｓ２１４にてＮＯかつＳ２２８にて「回線（２）」）回線（２）を用いて原稿が送信される（Ｓ２３２）。このとき、指定された回線が使用中でない場合には直ちに送信されるが、指定された回線が使用中である場合にはその使用が終了するまで待って、その回線が空いたら送信される。
【００８９】
また、メモリから読出された宛先情報の送信回線が「選択なし」であると（Ｓ２１４にてＹＥＳ）、図９に示す画面が表示パネル１７２に表示され、使用回線を変更する旨の要求を入力できるようになる（Ｓ２１６）。図９には押下可能な「送信回線選択」ボタンが表示されており、この「送信回線選択」ボタンを押下することにより使用回線を変更する旨の要求を入力できる。この「送信回線選択」ボタンが押下されると（Ｓ２１６にてＹＥＳ）、図１０に示すメッセージを所定の時間表示した後に、図１１に示す画面が表示パネル１７２に表示される（Ｓ２１８）。
【００９０】
なお、図１０に示すメッセージにおいて「ワンタッチ宛先に回線が指定されている場合は、ワンタッチに指定された回線が優先されます。」は表示されない場合もある。また、。初期設定に応じて、「変更されない場合は初期設定である自動選択になります。」は、「変更されない場合は初期設定である回線（１）になります。」又は「変更されない場合は初期設定である回線（２）になります。」と表示されても構わない。
【００９１】
図１１に示すように、「自動回線選択（＝「自動」）」、「回線１（＝回線（１））」及び「回線２（＝回線（２））」のいずれか１つを選択できる。図１１に示す状態は初期状態である「自動回線選択」が選択されて反転表示されている。
【００９２】
図１１に示すいずれかを選択した後に、「ＯＫ」ボタンを押下すると（Ｓ２２０にてＹＥＳ）、入力された使用回線が「回線（１）」であると（Ｓ２２２にて「回線（１）」）、回線（１）を用いて原稿が送信され（Ｓ２３０）、入力された使用回線が「回線（２）」であると（Ｓ２２２にて「回線（２）」）回線（２）を用いて原稿が送信され（Ｓ２３２）、入力された使用回線が「自動」であると（Ｓ２２２にて「自動」）空き回線を検出して（Ｓ２２４）その空き回線を用いて原稿が送信される（Ｓ２２６）。図１１に示すように２ヶ所ある「ＯＫ」ボタンを１回ずつ押下するものであっても構わない。
【００９３】
なお、入力された使用回線が「回線（１）」又は「回線（２）」であると、指定された回線が使用中でない場合には直ちに送信されるが、指定された回線が使用中である場合にはその使用が終了するまで待って、終了して回線が空いたら送信される。一方、このとき、入力された使用回線が「自動」であると、回線（１）及び回線（２）のいずれもが使用中でない場合にはいずれかの回線を用いて直ちに送信され、回線（１）及び回線（２）の一方の回線が使用中である場合には使用中でない回線を用いて直ちに送信され、双方の回線が使用中である場合には、いずれか一方の回線の使用が終了するまで待って、いずれか一方の回線が空いたらその回線を使用して送信される。
【００９４】
以上のようにして、本実施の形態に係る画像形成装置によると、送信に使用される回線を特定したい（例えば通信費用を特定したい）場合には、回線の空きにかかわらずその回線を用いて送信でき、早く送信したい場合には回線にかかわらず空き回線を用いて送信できる。すなわち、ワンタッチダイヤル又は短縮ダイヤルでＦＡＸ宛先が指定された場合に、（１）その宛先に対して事前に「選択なし」が設定された場合であって、ＦＡＸ送信時に「自動回線選択」が選択された場合には空いている回線を使用して即座に送信できること、（２）上記（１）のように事前に「選択なし」が設定された場合であっても、ＦＡＸ送信時に「回線（１）」が選択された場合には回線（１）を使用して送信でき、「回線（２）」が選択された場合には回線（２）を使用して送信できる。
【００９５】
このように、ＦＡＸの宛先情報として、宛名及び宛先ファクシミリ番号とともに使用する回線を回線情報として予め登録しておいて、ＦＡＸの送信先をワンタッチダイヤル又は短縮ダイヤルで指定する場合であっても、送信時の回線の使用状況及び使用回線についての送信者の要望（特定の回線を使用して送信したい、回線はいずれでもよいので早く送信したい）を踏まえて、送信することができる。
【００９６】
＜第２の実施の形態＞
以下、本発明の第２の実施の形態に係る画像形成装置について説明する。本実施の形態に係る画像形成装置は、図６に示したワンタッチ送信プログラムの一部を使用した同報送信プログラムを実行する。本実施の形態に係る画像形成装置の構造は、ＣＰＵ３００で実行されるプログラム構造だけが第１の実施の形態と異なる。このため、このプログラム構造について以下に説明する。
【００９７】
［ソフトウェア構成］
図１２は、本実施の形態に係る画像形成装置のＣＰＵ３００で実行されるプログラムの制御構造を示すフローチャートである。なお、図１２のフローチャートにおいて、図６のフローチャートと同じ処理については同じステップ番号を付してある。
【００９８】
Ｓ３００にて、ＣＰＵ３００は、Ｓ２０４にてＹＥＳと判定された場合（ワンタッチ送信先入力であると判定された場合）、Ｓ２０６〜Ｓ２１０の処理を実行する。
【００９９】
Ｓ３０２にて、ＣＰＵ３００は、Ｓ２０４にてＮＯと判定された場合（ワンタッチ送信先入力でないと判定された場合）、宛先指定処理を実行する。Ｓ３０４にて、ＣＰＵ３００は、指定された回線を使用回線と設定する。このように、宛先指定処理として、ＦＡＸの送信先である宛先ＦＡＸ番号及び使用回線が指定される。このとき指定される使用回線は、「回線（１）」、「回線（２）」及び「自動」のいずれかである。
【０１００】
Ｓ３０６にて、ＣＰＵ３００は、空き回線を使用回線と設定する。その後、処理はＳ３１２へ移される。Ｓ３０８にて、ＣＰＵ３００は、回線（１）を使用回線と設定する。その後、処理はＳ３１２へ移される。Ｓ３１０にて、ＣＰＵ３００は、回線（２）を使用回線と設定する。その後、処理はＳ３１２へ移される。
【０１０１】
Ｓ３１２にて、ＣＰＵ３００は、操作パネル１７０に配置されたスタートボタンが押下されたか否かを判定する。スタートボタンが押下されると（Ｓ３１２にてＹＥＳ）、処理はＳ３１４へ移される。もしそうでないと（Ｓ３１２にてＮＯ）、この処理はＳ２０２へ戻されて、次の同報送信先が入力される。Ｓ３１４にて、設定された使用回線を用いて同報指定された宛先へＦＡＸ送信する。その後、この処理は終了する。
【０１０２】
［動作］
以上のような構造及びフローチャートに基づく、本実施の形態に係る画像形成装置１５０の動作について説明する。
【０１０３】
−同報送信動作−
送信者が送信原稿を原稿載置台に置いて、表示パネル１７２のタッチパネルに表示された「ファクス／イメージ送信」のタグの部分が押下して、ＦＡＸ送信要求が入力されたと判定されると（Ｓ２００にてＹＥＳ）、ファクス送信先である宛先を入力する旨の送信者への要求が表示パネル１７２に表示される（Ｓ２０２）。ワンタッチ送信先の中からファクス送信先を指定する旨が入力されたか否かが判定される（Ｓ２０４）。
【０１０４】
（Ａ）ワンタッチ送信先の中からファクス送信先を指定する旨が入力されると（Ｓ２０４にてＹＥＳ）、第１の実施の形態で記載したように、Ｓ２０６〜Ｓ２１０、Ｓ２１４〜Ｓ２２２、Ｓ２２８及びＳ２３４の処理が行なわれる。
【０１０５】
（Ｂ）ワンタッチ送信先の中からファクス送信先を指定する旨が入力されないと（Ｓ２０４にてＮＯ）、宛先指定処理として、ＦＡＸの送信先である宛先ＦＡＸ番号及び使用回線が指定され（Ｓ３０２）、指定された回線が使用回線として設定される（Ｓ３０４）。
【０１０６】
このようなワンタッチによる同報ＦＡＸ送信先の設定及び個別入力による同報ＦＡＸ送信先の設定が終了すると、すなわち同報ＦＡＸ送信先の全ての設定が完了すると、送信者が操作パネル１７０に配置されたスタートボタンが押下する（Ｓ３１２にてＹＥＳ）。
【０１０７】
同報ＦＡＸ送信先の１つずつの宛先について、設定された使用回線が「空き回線」である場合には空き回線を用いて原稿が送信され（Ｓ３０６、Ｓ３１４）、設定された使用回線が「回線（１）」である場合には回線（１）を用いて原稿が送信され（Ｓ３０８、Ｓ３１４）、設定された使用回線が「回線（２）」である場合には回線（２）を用いて原稿が送信される（Ｓ３１０、Ｓ３１４）。
【０１０８】
このとき、設定された回線が使用中でない場合には直ちに送信されるが、指定された回線が使用中である場合にはその使用が終了するまで待って、その回線が空いたら送信される。一方、このとき、設定された使用回線が「自動」（すなわち空き回線）であると、回線（１）及び回線（２）のいずれもが使用中でない場合にはいずれかの回線を用いて直ちに送信され、回線（１）及び回線（２）の一方の回線が使用中である場合には使用中でない回線を用いて直ちに送信され、双方の回線が使用中である場合には、いずれか一方の回線の使用が終了するまで待って、いずれか一方の回線が空いたらその回線を使用して送信される。
【０１０９】
このように、ＦＡＸの宛先情報として、宛名及び宛先ファクシミリ番号とともに使用する回線を回線情報として予め登録しておいて、同報送信するＦＡＸの送信先を、ワンタッチダイヤル若しくは短縮ダイヤルで指定する場合又は宛先ＦＡＸ番号を都度入力して指定する場合であっても、同報送信時の回線の使用状況及び使用回線についての送信者の要望（特定の回線を使用して送信したい、回線はいずれでもよいので早く送信したい）を踏まえて、送信することができる。
【０１１０】
なお、上述した第２の実施の形態においては、複数のＦＡＸ宛先を指定している最中に、「選択なし」の宛先が選択されたときに使用回線を指定するようにしたが、（ＦＡＸ宛先を指定している最中ではなく複数のＦＡＸ宛先を指定した後の）送信実行を指示したときに、送信回線の設定が「選択なし」となっているＦＡＸ宛先が含まれているかを判定して「選択なし」の宛先が含まれる場合には、使用回線を指定する画面を表示するようにすることもできる。
【０１１１】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【符号の説明】
【０１１２】
１５０  画像形成装置
１６６  操作装置
１７０  操作パネル
１７２  表示パネル
３００  ＣＰＵ
３０２  ＨＤＤ
３０６  ＲＯＭ
３０８  ＲＡＭ
３１０  バス
【図１】
2010183318.tif 000003
【図２】
2010183318.tif 000004
【図３】
2010183318.tif 000005
【図４】
2010183318.tif 000006
【図５】
2010183318.tif 000007
【図６】
2010183318.tif 000008
【図７】
2010183318.tif 000009
【図８】
2010183318.tif 000010
【図９】
2010183318.tif 000011
【図１０】
2010183318.tif 000012
【図１１】
2010183318.tif 000013
【図１２】
2010183318.tif 000014